(57)【要約】【課題】作業効率がよく、かつ建設廃材の発生が少ない地下躯体の構築工法を提供することである。【解決手段】地下躯体の構築工法は、構真柱３が打設された地盤１を地下躯体１５の最上階の床１０が構築できる深度まで根切り、この根切り底４に作業床５を構築するとともに、上記の最上階の床１０を構築し、該最上階の床１０から上記作業床５に吊り具１１を接合して、その下側の地盤１を下階の床１３が構築できる深度まで根切りした後、該根切り底４に上記作業床５を吊り降ろして下階の床１３を構築することである。【選択図】    図１
2004225468.tif 000002
【特許請求の範囲】
【請求項１】
構真柱が打設された地盤を地下躯体の最上階の床が構築できる深度まで根切りし、この根切り底に作業床を構築するとともに、上記最上階の床を構築し、該最上階の床から上記作業床に吊り具を接合して、その下側の地盤を下階の床が構築できる深度まで根切りした後、該根切り底に上記作業床を吊り降ろして下階の床を構築することを特徴とする地下躯体の構築工法。
【請求項２】
作業床はコンクリートで構築することを特徴とする請求項１に記載の地下躯体の構築工法。
【請求項３】
作業床は適宜大きさに分割されていることを特徴とする請求項２に記載の地下躯体の構築工法。
【請求項４】
作業床はプレキャストコンクリート板または鋼板を敷き詰めて構築することを特徴とする請求項１に記載の地下躯体の構築工法。
【発明の詳細な説明】
【０００１】
【発明の属する技術分野】
本発明は地下躯体の構築工法に関するものである。
【０００２】
【従来の技術】
従来、地下躯体の構築工法として、例えば特開平６−８１３５４号公報の逆打ち工法が一般的である。この工法は地下躯体の構築位置の地盤に構真柱を打設するとともに、地盤を最上階の床が構築できる深度まで根切りした後、該根切り底に捨てコンクリートで作業床を構築し、該作業床で支持された最上階の床型枠にコンクリートを打設していた。そして、上記最上階の床を構築した後に、地盤を下階の床が構築できる深度まで根切りするために、図６に示すように、作業床１９を破壊して掘削開口部１８から排出している。そして、上記の根切りが完了した後、この根切り床１７に上記と同じ作業床１９を構築して下階の床２０を構築していた。そして、この作業を順次繰り返して地下躯体を構築していた。
【０００３】
【特許文献１】
特開平６−８１３５４号公報（図４）
【０００４】
【発明が解決しようとする課題】
しかし、上記の地下躯体の構築工法は、各階の床を構築するごとに作業床を破壊して、掘削開口部から排出しているため、作業効率が悪く、建設廃材が大量に発生するという問題があった。
【０００５】
本発明はこれらの問題に鑑みてなされたものであり、その目的は、作業効率がよく、かつ建設廃材の発生が少ない地下躯体の構築工法を提供することである。
【０００６】
【課題を解決するための手段】
以上の課題を解決するための地下躯体の構築工法は、構真柱が打設された地盤を地下躯体の最上階の床が構築できる深度まで根切り、この根切り底に作業床を構築するとともに、上記の最上階の床を構築し、該最上階の床から上記作業床に吊り具を接合して、その下側の地盤を下階の床が構築できる深度まで根切りした後、該根切り底に上記作業床を吊り降ろして下階の床を構築する構成である。また作業床はコンクリートで構築することを含む。また作業床は適宜大きさに分割されていることを含む。また作業床はプレキャストコンクリート板または鋼板を敷き詰めて構築することを含むものである。
【０００７】
各階の床を構築した後、この床から作業床に吊り具を接続すると、該作業床の下の地盤を根切りしたときに、作業床が吊り具で上階の床から吊り下げられ、これを前記根切り底に吊り降ろすと、下階の床の作業床として再利用することができるので、作業床の構築と破壊を繰り返すことがなく、作業効率が上がるとともに、建設廃材の発生を少なくできる。また作業床は、最後に耐圧板の下に敷き詰めて基礎の一部として利用することもできる。
【０００８】
【発明の実施の形態】
以下、本発明の地下躯体の構築工法の実施の形態を図面に基づいて詳細に説明する。なお、各実施の形態において同じ構成は同じ符号を付して説明し、異なる構成は異なった符号を付して説明する。
【０００９】
図１〜４は第１の実施の形態の地下躯体の構築工法を示したものであり、この工法は一旦構築した作業床を破壊せずに、プレキャストコンクリート化（以下ＰＣ化という）して各階の床の構築ごとに使用し、最後には基礎の一部として利用しようとするものである。
【００１０】
はじめに、図１の（１）に示すように、地下躯体を構築する地盤１の周囲に山留壁２を構築するとともに、柱の構築箇所に構真柱３を打設する。そして、山留壁で囲まれた地盤１を地下躯体の最上階の床が構築できる深度まで根切りし、この根切り底４に捨てコンクリートを打設して作業床５を構築する。
【００１１】
この作業床５は、後述する床型枠を支持するものであり、同図の（２）に示すように、適宜大きさに分割された四隅には掛止具６が設置されている。この作業床５は、剥離剤を貼り付けた型板７で根切り底４を格子状に区切り、この格子部に捨てコンクリートを打設して形成する。そして、上記の型板７を撤去すると、適宜大きさのコンクリート板が敷き詰められた作業床５が形成される。また構真柱３の位置する作業床５には、構真柱を挿入する孔８が開口されている。
【００１２】
次に、図２の（１）に示すように、組立形成した最上階の床の型枠９を作業床５からの支保工１６で支持するとともに、その型枠９内にコンクリートを打設して最上階の床１０を構築する。そして、同図の（２）に示すように、この最上階の床１０からワイヤーやチェーンなどの吊り具１１を吊り下げて作業床５の掛止具６に接続する。したがって、各作業床５には最上階の床１０から４本の吊り具１１が掛け止めされている。
【００１３】
次に、作業床５の下の地盤１を下階の床が構築できる深度まで根切りすると、作業床５が吊り具１１で最上階の床１０から吊り下げられた状態になる。そして、この根切りが完了した後に、図３の（１）に示すように、吊り具１１を伸ばして作業床５を根切り底４に吊り降ろす。この吊り降ろしは、バランスを取りながら作業床５を一枚ごと、または数枚ごとにまとめて行うものである。
【００１４】
次に、作業床５を吊り降ろした後、図３の（２）に示すように、吊り具１１を取り外すとともに、下階の床の型枠１２を組立形成する。そして、この型枠１２を作業床５からの支保工１６で支持するとともに、型枠１２内にコンクリートを打設して下階の床１３を構築する。そして、図４の（１）に示すように、この作業を繰り返して順次下階の床を構築し、最後には作業床５を耐圧板の下に敷き詰めて、基礎１４の一部として利用すると、同図の（２）に示すような地下躯体１５が構築される。
【００１５】
このように作業床５をＰＣ化して、各階の構築ごとに吊り下げて利用すると、作業床５の構築および破壊を繰り返すことがないので、作業の効率化と産業廃棄物の発生とを防ぐことができる。
【００１６】
また図５は第２の実施の形態の地下躯体の構築工法を示したものであり、この工法は作業床５を分割せずに、一枚板として吊り下げる以外は、第１の実施の形態の工法と同じである。この工法は床面積の小さい建物の構築に使用するものであり、適宜間隔ごとに接続した吊り具１１でバランスを取りながら吊り降ろす。これは作業床５を一気に吊り降ろせるので、作業性をより一層高めることができる。
【００１７】
さらに、上記の作業床５は予め工場などで製造したプレキャストコンクリート板または鋼板などで形成することもでき、上記と同じ効果を奏することができる。
【００１８】
【発明の効果】
地下躯体の構築において、作業効率がよく、かつ建設廃材の発生を少なくすることができる。
【図面の簡単な説明】
【図１】第１の実施の形態の地下躯体の構築工法であり、（１）は根切り底に作業床を構築した断面図、（２）は（１）の平面図である。
【図２】（１）は最上階の床からの吊り具を作業床に接続した断面図、（２）は作業床の下側の地盤を下階の床が構築できる深度に根切りした断面図である。
【図３】（１）は下階の床が構築できる深度に根切りした根切り底に作業床を吊り降ろした断面図、（２）は下階の床を構築した断面図である。
【図４】（１）は下階の床から作業床に吊り具を接続した断面図、（２）は作業床を耐圧板の下に敷き詰めて基礎の一部とした断面図である。
【図５】第２の実施の形態の地下躯体の構築工法であり、根切り底に作業床を構築した平面図である。
【図６】従来の地下躯体の構築工法を示す断面図である。
【符号の説明】
１  地盤
２  山留壁
３  構真柱
４、１７  根切り底
５、１９  作業床
６  掛止具
７  型板
８  孔
９、１２  型枠
１０、１３、２０  床
１１  吊り具
１４  基礎
１５  地下躯体
１６  支保工
１８  開口部。
【図１】
2004225468.tif 000003
【図２】
2004225468.tif 000004
【図３】
2004225468.tif 000005
【図４】
2004225468.tif 000006
【図５】
2004225468.tif 000007
【図６】
2004225468.tif 000008